(57)【要約】【課題】２値化された画像の網点で構成される画像部位を検出し、網点で構成される画像部位と網点以外の画像部位で、スムージング処理などのプロッタに送信する画像データに対する画像処理方法を適応的に切り替えることのできる画像処理装置を提供する。【解決手段】２値化された画像の網点で構成される画像部位を検出し、その画像部位と網点以外の画像部位とで画像処理方法を適応的に切り替える。網点部の検出は、主走査方向にＮ画素長のＮ×１　サイズの窓で画像データを切り出し、窓内で、２値画像の白から黒への変化の数または黒から白への変化の数をカウントし、その数Ｃが、しきい値Ｔｈ以上のとき、または、Ｔｈと等しいとき、網点部であると判断する方法による。【選択図】　　　　図２
2004112222.tif 000002
【特許請求の範囲】
【請求項１】
ディジタル画像データに対して画像処理を行う画像処理装置であって、該画像処理装置は、
２値化された画像の網点で構成される画像部位を検出する網点部検出手段と、該網点で構成される画像部位と網点以外の画像部位とで画像処理方法を適応的に切り替える手段と、
を有することを特徴とする画像処理装置。
【請求項２】
前記網点部検出手段は、
主走査方向にＮ画素長のＮ×１　サイズの窓で画像データを切り出し、該窓内で２値画像の白から黒への変化点の数または黒から白への変化点の数をカウントし、
該変化点の数Ｃが、しきい値Ｔｈ以上のとき、または、しきい値Ｔｈと等しいとき、網点で構成される画像であると判断することを特徴とする請求項１記載の画像処理装置。
【請求項３】
前記画像データの送信元が、該画像データと共に該画像データの前記網点の構成の情報を送信させて該情報をもとに、前記画像処理装置側で適切な値の前記検出窓のサイズＮと前記検出しきい値Ｔｈを決定する手段、
を有することを特徴とする請求項２記載の画像処理装置。
【請求項４】
送信される前記画像データの階調処理方法の情報が無く、どのようなドット構成の画像が送信されてくるか判らない場合に、予め設定されている前記検出窓のサイズＮと前記検出しきい値Ｔｈのパラメータセットを自動的に選択して前記網点部の検出を行なう手段、
有することを特徴とする請求項２または３記載の画像処理装置。
【請求項５】
前記画像データの送信元が、該画像データと共に解像度、網点ピッチなどの画像情報ヘッダを送信してきて、前記画像処理装置側で該画像を展開する場合に、該解像度、該網点ピッチなどの情報をもとに前記検出窓のサイズＮと前記検出しきい値Ｔｈの値を決定する手段、
を有することを特徴とする請求項２、３または４記載の画像処理装置。
【請求項６】
最も出現確率の高い前記変化点の数Ｃの値を前記検出しきい値Ｔｈの値とし、検出パラメータＴｈを適応的に最適値に補正する手段、
を有することを特徴とする請求項２から５のいずれか１項に記載の画像処理装置。
【請求項７】
前記変化点数Ｃの値が、予め設定した定数Ｓ以上連続して同じ値だったときに、該値を前記検出しきい値Ｔｈとし、検出パラメータＴｈを適応的に最適値に補正する手段、
をさらに有することを特徴とする請求項２から５のいずれか１項に記載の画像処理装置。
【請求項８】
最も出現確率の高いＣの値と検出しきい値Ｃの値が一致するように、窓長Ｎを適応的に補正する手段、
をさらに有することを特徴とする請求項２記載の画像処理装置。
【発明の詳細な説明】
【０００１】
【発明の属する技術分野】
本発明は、ディジタル画像処理装置に関して、特に２値画像の網点検知を行い、網点で構成される画像部位と、網点以外の画像部位で画像処理方法を適応的に切り替える適応画像処理に関する。
【０００２】
【従来の技術】
従来、主走査方向および副走査方向のそれぞれで、連続する２つの画素の信号レベル差を算出し、信号レベル差の符号の変化をとらえ、網点画像領域を検出する方法が発明されている（例えば、特許文献１参照）。
【０００３】
【特許文献１】
特開平６−６６８８４号公報
【０００４】
【発明が解決しようとする課題】
しかしながら、上記網点領域検出方法は、入力画像の網点部検出には適しているが、２値化処理後の出力画像の網点部検出には適していない。プロッタに送信する画像データ中の網点処理を行った画像部位を検出するには、２値化処理後の画像データに対して網点部検出を行う必要がある。２値化処理後の画像データに対して網点部検知を行うことによって、網点で構成される画像部位と網点以外の画像部位でスムージング処理などのプロッタに送信する画像データに対する画像処理を適応的に切り替えることができる。
【０００５】
このような点から、本発明請求項１記載の発明の目的は、２値化された画像の網点で構成される画像部位を検出し、網点で構成される画像部位と網点以外の画像部位でスムージング処理などのプロッタに送信する画像データに対する画像処理方法を適応的に切り替えることのできる画像処理装置を提供することである。
【０００６】
請求項２、３記載の発明の目的は、画像データ送信元が、画像データと共に画像データの網点構成情報を送信してくる場合に、その情報をもとに網点検出に必要な最適なパラメータ設定を行うことのできる画像処理装置を提供することである。
【０００７】
請求項４記載の発明の目的は、送信される画像データの網点構成情報が無い場合に、予め設定されているパラメータセットが自動的に選択され、網点検知を行う機能をもつ画像処理装置を提供することである。
【０００８】
請求項５記載の発明の目的は、画像データ送信元が、解像度、網点ピッチなどの画像情報ヘッダ付きの画像データを送信してきて、画像処理装置側で画像を展開する場合に、解像度、網点ピッチなどの情報をもとにＮとＴｈの値を決定する機能を持ち、画像データに最適なパラメータ条件で網点検知を行う機能をもつ画像処理装置を提供することである。
【０００９】
請求項６、７、８記載の発明の目的は、入力される画像データに適応して、自動的に網点検出の検出パラメータを最適化する網点検出機能をもつ画像処理装置を提供することである。
【００１０】
【課題を解決するための手段】
前記の目的を達成するため、請求項１記載の発明によれば、画像処理装置は、ディジタル画像データに対して画像処理を行う画像処理装置であって、２値化された画像の網点で構成される画像部位を検出する手段と、網点で構成される画像部位と網点以外の画像部位とで画像処理方法を適応的に切り替える手段とを有することを特徴とするものである。
【００１１】
請求項２記載の発明によれば、画像処理装置は、２値画像の網点部検出方法が、主走査方向にＮ画素長のＮ×１　サイズの窓で画像データを切り出し、窓内で、２値画像の白から黒への変化の数または黒から白への変化の数をカウントし、変化点の数Ｃが、しきい値Ｔｈ以上のとき、または、Ｔｈと等しいとき、網点画像部であると判断する請求項１記載の画像処理装置であることを特徴とするものである。
【００１２】
請求項３記載の発明によれば、画像処理装置は、画像データの送信元が、画像データと共に画像データの網点構成の情報を送信する手段と、情報をもとに、画像処理装置側で適切な値の検出窓のサイズＮと検出しきい値Ｔｈを決定する手段とをさらに有する請求項２記載の画像処理装置であることを特徴とするものである。
【００１３】
請求項４記載の発明によれば、画像処理装置は、送信される画像データの階調処理方法の情報が無く、どのようなドット構成の画像が送信されてくるか判らない場合に、予め設定されているＮとＴｈのパラメータセットが自動的に選択され、網点検知を行う手段をさらに有する請求項２記載の画像処理装置であることを特徴とするものである。
【００１４】
請求項５記載の発明によれば、画像処理装置は、画像データの送信元が、解像度、網点ピッチなどの画像情報ヘッダを含む画像データを送信してきて、画像処理装置側で画像を展開する場合に、解像度、網点ピッチなどの情報をもとにＮとＴｈの値を決定する手段をさらに有する請求項２記載の画像処理装置であることを特徴とするものである。
【００１５】
請求項６記載の発明によれば、画像処理装置は、最も出現確率の高いＣの値を検出しきい値Ｔｈの値とし、検出パラメータＴｈを適応的に最適値に補正する手段をさらに有する請求項２記載の画像処理装置であることを特徴とするものである。
【００１６】
請求項７記載の発明によれば、画像処理装置は、変化点数Ｃの値が、予め設定した定数Ｓ以上連続して同じ値だったときに、Ｃの値を検出しきい値Ｔｈとし、検出パラメータＴｈを適応的に最適値に補正する手段をさらに有する請求項２記載の画像処理装置であることを特徴とするものである。
【００１７】
請求項８記載の発明によれば、画像処理装置は、最も出現確率の高いＣの値と検出しきい値Ｃの値が一致するように、窓長Ｎを適応的に補正する手段をさらに有する請求項２記載の画像処理装置であることを特徴とするものである。
【００１８】
【発明の実施の形態】
次に、添付図面を参照して、本発明による画像処理装置の実施の形態を詳細に説明する。
【００１９】
図１には、本発明による画像処理装置の一実施形態における複写機の構成図がを示されている。
【００２０】
複写機１は、読取部１０と、画像処理部２０と、画像形成部３０と、システム制御部４０と、操作部５０とから構成される。
【００２１】
原稿面は、読取部１０によって読み取られる。ランプ１１から照射された光は、原稿面で反射し、ＣＣＤ１２により電気信号に変換され、増幅器１３で振幅調整された後、Ａ／Ｄ変換器１４で量子化されディジタル画像データとなる。生成されたディジタル画像データは、シェーディング補正部１５でシェーディング補正処理され、画像処理部２０に入力される。
【００２２】
画像処理部２０に入力されたディジタル画像データは、フィルタ２１、γ補正２２、階調処理２３により、それぞれフィルタ処理、γ補正処理、階調処理などを施されて、画像形成部３０に送られる。
【００２３】
画像形成部３０に入力されたディジタル画像データは、書き込み部３１で、そのデータ値に従いレーザー光に変換され、帯電チャージャー３２により帯電された感光体３３に照射され、感光体３３面に静電潜像を形成する。
【００２４】
現像スリーブ３４は、形成された静電潜像に従い、感光体３３面にトナーを付着させる。感光体３３面に付着したトナーは、給紙トレー３５から送られてきた紙面上に転写され、定着部３６を通り、複写原稿として出力される。
なお、階調処理部２３において画像データは、２値化される。
【００２５】
プリンタ動作の場合は、画像の読み取りは行われずに、ディジタル化された画像データが、パソコンから送信され、その後は、前述した複写機の動作と同様に、画像処理が施され、書き込み部で紙面上に画像形成される。
【００２６】
以下、本発明によるの画像処理装置の一実施形態を図面を参照しながら説明する。
【００２７】
図２には、本発明による画像処理装置の一実施形態における網点部と非網点部で画像処理の方法を適応的に切り替えるときの処理フローが示されている。
【００２８】
本実施形態においては、２値化された画像の網点で構成される画像部位を検出し、網点部と非網点部で画像処理の方法を適応的に切り替える。
【００２９】
すなわち、階調処理部２３において２値化された画像データは、網点検知部に入力され、網点で構成された画像部位か網点以外の画像部位かの判定を行う。この判定結果によって、図２のように、入力画像データに対する画像処理を網点部用と非網点部用で切り替える。
【００３０】
切り替える画像処理は、例えば、文字／線画部のエッジを滑らかに出力するための処理であるスムージング処理などがある。
【００３１】
網点部は、スムージング処理を強くかけてしまうと網点の形が崩れ、階調数が低下するなどの画質低下が出る可能性がある。これを防ぐため、網点部と判定された画像部位に対しては、スムージング処理を弱くする、または、スムージング処理をオフにし、非網点部と判定された画像部位に対しては、文字／線画部を滑らかにするスムージング処理をかけるなどの画像部位に適応した画像処理方法の切り替えを行う。
【００３２】
図３には、本発明による画像処理装置の一実施形態における網点部検知方法に関する説明図が示されている。
【００３３】
２値画像をＮ×１　サイズの窓で切り出し、その窓内で２値画像の白から黒への変化、または、黒から白への変化の数をカウントする。
【００３４】
変化点数Ｃが、予め設定したしきい値Ｔｈ以上またはＴｈと等しいとき、網点画像部であると判定する。
【００３５】
すなわち、図３のように、変化点数Ｃが、予め設定したしきい値Ｔｈ以上のとき、網点部であると判定し、同しきい値Ｔｈ未満の場合は、非網点部であると判定する。
または、変化点数Ｃが、予め設定したしきい値Ｔｈと等しいとき、網点部であると判定し、同しきい値Ｔｈ未満または同しきい値Ｔｈより大きい場合は非網点部であると判定する。
【００３６】
そして、その判定結果によって、２値画像に対する画像処理方法を切り替える。
【００３７】
図４には、本発明によるの画像処理装置の一実施形態における網点検出パラメータ選択に関する第１の説明図が示されている。
【００３８】
図４のように、複写機１の画像処理部２０は、画像データ送信元のコンピュータ３００のプリンタドライバから送信されてくる画像データの網点構成情報を送信してもらう。
【００３９】
この網点構成情報に基づき複写機１の画像処理部２０側では、画像データ内の網点を検知するのに最適な値の検出窓サイズＮ、および、検出しきい値Ｔｈを決定する。このパラメータ決定は、網点構成とその網点を検出するのに最適なパラメータセットを対応させた参照テーブルを参照することによって実現する。
【００４０】
図５には、本発明による画像処理装置の一実施形態における網点検出パラメータ選択に関する第２の説明図が示されている。
【００４１】
図５のように、複写機１の画像処理部２０が、画像データ送信元のコンピュータ３００から送信されてくる画像データの情報（解像度や網点構成など）を得られない場合、予め画像処理部２０内に設定されているＮとＴｈを値を設定したパラメータセットを参照して、自動的にパラメータ設定を行う。
【００４２】
このパラメータセットは、画像データがどのような形態か判らないので比較的網点が検知され易い設定にしておくことが望ましい。
【００４３】
図６には、本発明による画像処理装置の一実施形態における網点検出パラメータ選択に関する第３の説明図が示されている。
【００４４】
図６のように、画像データ送信元のコンピュータ３００から送信される画像データに解像度、網点ピッチなどの画像情報ヘッダが付加されていて、複写機１の画像処理部２０側で画像データの展開を行う場合には、画像処理部２０は、ヘッダに付加されている画像情報を読み、解像度、網点ピッチなどの画像情報をもとにＮとＴｈの値を決定する。
【００４５】
パラメータの決定は、解像度、網点ピッチと、その網点を検出するのに最適なパラメータセットを対応させた参照テーブルを参照することによって実現する。
【００４６】
なお、本発明は画像処理装置一般に適用されるものであることから、図４から図６における複写機１は、例えば、プリンタ、プリンタ機能つき複写機、ファクシミリ等であってもよい。
【００４７】
図７には、本発明による画像処理装置の一実施形態における網点検出パラメータ設定に関する第１の説明図が示されている。
【００４８】
変化点数算出部１０１で算出された、白から黒、あるいは、黒から白への画像変化の回数Ｃは、最頻出現Ｃ判定部１０２に送られ、ここで、最も出現確率の高いＣ値が算出される。最頻出現のＣ値は、新しくＣ値が入力される度にそのＣ値の出現回数が更新され、最頻出現のＣ値を判定するのに使われる。
【００４９】
算出された最頻出現のＣ値は、次段のしきい値設定部１０４に送られ、網点部判定１０５のしきい値Ｔｈとして使われる。変化点数ＣとＴｈによって入力画像が網点部か否かの判定が行われる。
【００５０】
図８には、本発明による画像処理装置の一実施形態における網点検出パラメータ設定に関する第２の説明図が示されている。
【００５１】
変化点数算出部１０１で算出された、白から黒、あるいは、黒から白への画像変化の回数Ｃは、Ｃ値連続性判定部１０３に送られ、ここで、Ｃ値が、予め設定された値Ｓ回以上同じ値が連続しているか判定される。
【００５２】
Ｓ回以上連続していると判定された場合、しきい値設定部１０４では、変化点数Ｃを網点判定しきい値Ｔｈとして設定し、網点部判定部１０５に送る。
Ｓ回以上同じ値が連続していない場合は、しきい値Ｔｈの更新は行われない。
【００５３】
ここでは、Ｃ値が連続して全く同じ値をとる場合について説明したが、Ｃ値に幅を持たせて、Ｃ値が、±Ｘ以下の差の値がＳ回以上連続した場合に、しきい値Ｔｈを更新するとしてもよい。
【００５４】
図９には、本発明による画像処理装置の一実施形態における網点検出パラメータ設定に関する第３の説明図が示されている。
【００５５】
変化点数算出部１０１で算出された、白から黒、あるいは、黒から白への画像変化の回数Ｃは、最頻出現Ｃ判定部１０２に送られ、ここで、最も出現確率の高いＣ値が算出される。最頻出現のＣ値は、新しくＣ値が入力される度にそのＣ値の出現回数が更新され、最頻出現のＣ値を判定するのに使われる。
【００５６】
算出されたＣ値は、変化点数算出部１０１に送られ、網点部判定しきい値Ｔｈと比較し、最頻出現のＣ値がＴｈより大きい場合は、検出窓長Ｎの値が、網点ピッチに対して大きいと判断し、窓長Ｎの値から一定値を減算する。
【００５７】
最頻出現のＣ値がＴｈより小さい場合は、検出窓長Ｎの値が、網点ピッチに対して小さいと判断し、窓長Ｎの値に一定値を加算する。
【００５８】
最頻出現のＣ値に適応させて検出窓長Ｎを随時更新することによって、常に網点ピッチに最適な検出窓長で網点検出が可能となる。
【００５９】
【発明の効果】
請求項１から８記載の発明によれば、２値化された画像の網点で構成される画像部位を検出し、網点で構成される画像部位と網点以外の画像部位でスムージング処理などのプロッタに送信する画像データに対する画像処理方法を適応的に切り替えることのできる画像処理装置を提供することができる。
【００６０】
請求項３記載の発明によれば、画像データ送信元が、画像データと共に画像データの網点構成情報を送信してくる場合に、その情報をもとに網点検出に必要な最適なパラメータ設定を行うことのできる画像処理装置を提供することができる。
【００６１】
請求項４記載の発明によれば、送信される画像データの網点構成情報が無い場合に、予め設定されているパラメータセットが自動的に選択され、網点検知を行う機能をもつ画像処理装置を提供することができる。
【００６２】
請求項５記載の発明によれば、画像データ送信元が、解像度、網点ピッチなどの画像情報ヘッダ付きの画像データを送信してきて、画像処理装置側で画像を展開する場合に、解像度、網点ピッチなどの情報をもとにＮとＴｈの値を決定する機能を持ち、画像データに最適なパラメータ条件で網点検知を行う機能をもつ画像処理装置を提供することができる。
【００６３】
請求項６から８記載の発明によれば、入力される画像データに適応して、自動的に網点検出の検出パラメータを最適化する網点検出機能をもつ画像処理装置を提供することができる。
【図面の簡単な説明】
【図１】本発明による画像処理装置の一実施形態における複写機の構成図である。
【図２】本発明による画像処理装置の一実施形態における網点部検知の処理フロー図である。
【図３】本発明による画像処理装置の一実施形態における網点部検知方法の説明図である。
【図４】本発明による画像処理装置の一実施形態における網点部検知パラメータ設定方法の第１の説明図である。
【図５】本発明による画像処理装置の一実施形態における網点部検知パラメータ設定方法の第２の説明図である。
【図６】本発明による画像処理装置の一実施形態における網点部検知パラメータ設定方法の第３の説明図である。
【図７】本発明による画像処理装置の一実施形態における網点部検知パラメータの入力画像適応方法の第１の説明図である。
【図８】本発明による画像処理装置の一実施形態における網点部検知パラメータの入力画像適応方法の第２の説明図である。
【図９】本発明による画像処理装置の一実施形態における網点部検知パラメータの入力画像適応方法の第３の説明図である。
【符号の説明】
１　複写機
１０　読み取り部
１１　ランプ
１２　ＣＣＤ
１３　増幅器
１４　Ａ／Ｄ変換器
１５　シェーディング補正部
２０　画像処理部
２１　フィルタ
２２　γ補正
２３　階調処理部
３０　画像形成部
３１　書き込み部
３２　帯電チャージャ
３３　感光体
３４　現像スリーブ
３５　給紙トレー
３６　定着部
４０　システム制御部
５０　操作部
１０１　変化点数算出部
１０２　最頻出現Ｃ判定部
１０３　Ｃ値連続性判定部
１０４　しきい値設定部
１０５　網点部判定部
３００　コンピュータ（ＰＣ）
【図１】
2004112222.tif 000003
【図２】
2004112222.tif 000004
【図３】
2004112222.tif 000005
【図４】
2004112222.tif 000006
【図５】
2004112222.tif 000007
【図６】
2004112222.tif 000008
【図７】
2004112222.tif 000009
【図８】
2004112222.tif 000010
【図９】
2004112222.tif 000011